(57)【特許請求の範囲】
【請求項１】
建築物の柱などの縦材に添設固定する背板部の前側板面に、アンカーボルトや引き寄せボルトなどのボルトの先端部を挿通し得且つこのボルト先端部に螺着したナットあるいはナットと共にボルトに被嵌装着した座金を締付当接する筒形あるいは前記背板部とによって筒形となる上下に長さを有するボルト挿通部を突設し、このボルト挿通部の挿通孔を、前記ボルトの径より径大に形成してこのボルト挿通部内でボルトの挿通位置を調整移動可能に構成した建築用引寄せ金具において、前記背板部の前側板面に突設した前記ボルト挿通部の突出前側部の形状を、板材を折り返した平断面Ｕ字形やコ字形とせずに、平断面略Ｖ字形に先細る形状に形成し、前記背板部の下端部を、この背板部の前側方向に屈曲形成すると共に、この屈曲部位の後側板面が湾曲面形状となるように屈曲形成したことを特徴とする建築用引き寄せ金具。
【請求項２】
前記背板部の前側板面に、平断面半筒形であって開放部の反対側部が平断面略Ｖ字形に屈曲形成された係合体を付設して、この係合体の内面と背板部の前側板面とで筒形となる前記ボルト挿通部を構成したことを特徴とする請求項１記載の建築用引き寄せ金具。
【請求項３】
前記背板部の左右側縁部を背板部の前側方向に屈曲し、この背板部の左右の屈曲側板部に、前記係合体の開放部側の左右部を重合固定したことを特徴とする請求項２記載の建築用引き寄せ金具。
【発明の詳細な説明】
【技術分野】
【０００１】
本発明は、木造軸組み工法に用いられる建築用引き寄せ金具に関するものである。
【背景技術】
【０００２】
木造軸組み構造の住宅には、例えば、土台を挟んだ基礎と柱との緊結や、胴差を挟んだ上下の柱の緊結にホールダウン金物が多用されていて、十分な耐震強度が得られるようにしている。
【０００３】
例えば、土台を挟んだ基礎と柱との緊結は、基礎に埋設固定して立設させたアンカーボルトを土台に貫通させ、土台の上面から突設するアンカーボルトの先端を、柱側面に固定したホールダウン金物にナットで締付固定して、土台を挟んで基礎と柱を引き寄せ、強固に緊結する。
【０００４】
しかし、このようなホールダウン金物は、アンカーボルトの正確な位置出しが必要であり、アンカーボルトの埋設位置等にズレがある場合には、ホールダウン金物の取り付けができない場合があったり、取り付けは可能であっても必要な強度を確保できない場合がある。
【０００５】
そこで、このようなアンカーボルトの位置ズレに対応できる引き寄せ金具（例えば、特許文献１参照。）が提案されている。
【０００６】
この特許文献１のような引き寄せ金具は、柱に固定する平板状の背板部20に断面Ｕ字形の係合体21が付設されてこの背板部20と係合体21とでアンカーボルトなどのボルト22を挿通するボルト挿通（孔）部23を構成し、このボルト挿通部23の挿通孔23Ａをボルト22の径よりも径大として、この挿通孔23Ａ内でボルト22の位置をずらして挿通できるようにしており、ボルト22の位置ズレに対応できる構成となっている。
【０００７】
【特許文献１】特許第３４７７０７４号公報
【発明の開示】
【発明が解決しようとする課題】
【０００８】
しかしながら、この特許文献１のような構成であると、断面Ｕ字形を呈するボルト挿通部23は前端の湾曲部付近まで一定の広横幅を有するため、このＵ字形のボルト挿通部23の挿通孔23Ａの中心に対してボルト22の軸心が大きく横方向に片寄ってしまうと、このボルト22に接近している側のボルト挿通孔23の端部には、ボルト22にナットと共に被嵌装着した座金24が良好に当接するが、ボルト22が離れてしまった側のボルト挿通部23の端部には、図４（ｂ）に示すように座金24が当接しなくなってしまう場合がある。
【０００９】
してみると、このような当接状況ではボルト挿通部23に対する座金24のかかりが不十分となり、締付固定時に締付当接力に片寄りを生じて座金24の変形を招くおそれもあり、十分な締付強度が得られずに緊結強度不足を生じてしまう懸念がある。
【００１０】
この問題点は、ボルト22に装着する座金24に径の大きいものを採用することで解決できるようにも考えられるが、座金24の径が大きいと、ボルト挿通部23の挿通孔23Ａ内でボルト22を動かす際に背板部20に干渉し易くなり、挿通孔23Ａに対するボルト22の位置移動を阻害することとなってしまうためにできない。
【００１１】
本発明は、上記特許文献１のような従来の引き寄せ金具の問題点を見い出し、これを解決するためのもので、ボルト挿通部に対するボルトの挿通位置にかかわらず極めて良好な緊結強度を発揮できる簡易構造の画期的な建築用引き寄せ金具を提供するものである。
【課題を解決するための手段】
【００１２】
添付図面を参照して本発明の要旨を説明する。
【００１３】
建築物の柱１Ａなどの縦材１に添設固定する背板部２の前側板面に、アンカーボルト３Ａや引き寄せボルト３Ｂなどのボルト３の先端部を挿通し得且つこのボルト３先端部に螺着したナット４あるいはナット４と共にボルト３に被嵌装着した座金５を締付当接する筒形あるいは前記背板部２とによって筒形となる上下に長さを有するボルト挿通部６を突設し、このボルト挿通部６の挿通孔６Ａを、前記ボルト３の径より径大に形成してこのボルト挿通部６内でボルト３の挿通位置を調整移動可能に構成した建築用引寄せ金具において、前記背板部２の前側板面に突設した前記ボルト挿通部６の突出前側部の形状を、板材を折り返した平断面Ｕ字形やコ字形とせずに、平断面略Ｖ字形に先細る形状に形成し、前記背板部２の下端部を、この背板部２の前側方向に屈曲形成すると共に、この屈曲部位の後側板面が湾曲面形状となるように屈曲形成したことを特徴とする建築用引き寄せ金具に係るものである。
【００１４】
また、前記背板部２の前側板面に、平断面半筒形であって開放部の反対側部が平断面略Ｖ字形に屈曲形成された係合体７を付設して、この係合体７の内面と背板部２の前側板面とで筒形となる前記ボルト挿通部６を構成したことを特徴とする請求項１記載の建築用引き寄せ金具に係るものである。
【００１５】
また、前記背板部２の左右側縁部を背板部２の前側方向に屈曲し、この背板部２の左右の屈曲側板部２Ａに、前記係合体７の開放部側の左右部を重合固定したことを特徴とする請求項２記載の建築用引き寄せ金具に係るものである。
【発明の効果】
【００１６】
本発明は上述のように構成したから、上記特許文献１のような従来の引き寄せ金具と同様にボルトの挿通位置を位置調整することができるので、例えばホールダウン金物として使用する場合に、基礎に対する（アンカー）ボルトの位置出しが正確でなく僅かに狂っていたとしても、このボルト挿通部内でのボルトの挿通位置調整を行うことで、このボルト位置の誤差を吸収することができ、また、ボルトに対して本金具の位置をずらすこともできるので、縦材あるいは縦材付近の建築材に固定された筋違などの他の建築材を避けるように本金具の位置をずらして縦材に固定することもでき、しかも、本発明によれば、ボルト挿通部に対するボルトの挿通位置にかかわらず、ボルト挿通部にナットあるいは座金をかかりよく締付当接できて極めて良好な緊結強度を発揮できる上、この効果を発揮する本発明は、単に、背板部の前側板面に突設した前記ボルト挿通部の突出前側部の形状を、前端部が平断面略Ｖ字形に先細る形状に形成することで構成可能であるため、簡易に設計実現可能で量産性に秀れるなど、極めて実用性に秀れた簡易構造の画期的な建築用引き寄せ金具となる。
【００１７】
また、本発明においては、背板部の下端部を、この背板部の前側方向に屈曲形成すると共に、この屈曲部位の後側板面が湾曲面形状となるように屈曲形成しているため、例えば、地震などの外力によって柱などの縦材が斜め上方に引き上げられた場合においても、後側板面を湾曲面状とした背板部の下部は縦材に喰い込んで固定されてしまうことがないため、金具の変形が抑制されて一層秀れた耐久強度を発揮することになる極めて実用性に秀れた建築用引き寄せ金具となる。
【００１８】
また、請求項２記載の発明においては、前記効果を確実に発揮するボルト挿通部を簡易構成にして容易に設計実現可能となる一層実用性に秀れた構成の建築用引き寄せ金具となる。
【００１９】
また、請求項３記載の発明においては、背板部の強度が増して秀れた耐変形強度を発揮すると共に、背板部に係合体を簡易に且つ高強度に固定できる一層実用性に秀れた構成の建築用引き寄せ金具となる。
【発明を実施するための最良の形態】
【００２０】
好適と考える本発明の実施形態（発明をどのように実施するか）を、図面に基づいて本発明の作用を示して簡単に説明する。
【００２１】
例えば、土台９を挟んで基礎８と柱１Ａなどの縦材１とを緊結する場合（本引き寄せ金具をホールダウン金物として使用する場合）を説明する。
【００２２】
基礎８に埋設固定して立設させたボルト３（アンカーボルト３Ａ）を、例えば土台９に上下貫通状態に形成した貫通孔９Ａに挿通させ、この土台９の上面から突設するアンカーボルト３Ａの先端を、縦材１の側面に背板部２を介して固定した本引き寄せ金具のボルト挿通部６の挿通孔６Ａに挿通する。
【００２３】
次いで、このボルト挿通部６に挿通したアンカーボルト３Ａの先端に、ナット４を螺着あるいは座金５と共にナット４を螺着し、このナット４を締付してボルト挿通部６の端部にナット４あるいは座金５を締付当接させることで、基礎８に縦材１を引寄せ、土台９を挟んで基礎８と縦材１を強固に緊結する。
【００２４】
この際、アンカーボルト３Ａの径よりも径大に形成したボルト挿通部６内では、アンカーボルト３Ａの挿通位置を位置調整することができるので、基礎８に対するアンカーボルト３Ａの位置出しが正確でなく僅かに狂っていたとしても、このボルト挿通部６内でのアンカーボルト３Ａの挿通位置調整を行うことで、このアンカーボルト３Ａ位置の誤差を吸収することができる。
【００２５】
また、アンカーボルト３Ａに対して本金具の位置をずらすこともできるので、縦材１あるいは縦材１付近の建築材に固定された筋違などの他の建築材を避けるように本金具の位置をずらして縦材１に固定することもできる。
【００２６】
また、この際、前記特許文献１のようにボルト挿通部23が断面Ｕ字形を呈する構成であると、このボルト挿通部23の挿通孔23Ａの中心に対してボルト22の軸心が大きく横方向に片寄った状態で固定する場合には、図４（ｂ）に示すようにボルト挿通孔23の端部に対して座金24が片持ちのような当接状態となって、十分な締付当接強度が得られず、緊結強度不足を生じてしまう懸念があるが、本発明にあっては、ボルト挿通部６の挿通孔６Ａの中心に対してボルト３の軸心が大きく片寄った状態となっても、このボルト挿通部６が略Ｖ字形となっていることで、図４（ａ）に示すようにボルト３は挿通孔６Ａの端に位置しながらも特許文献１のような構造に比して挿通孔６Ａの中心側へと案内されると共に、ボルト３から離れている側のボルト挿通部６の端部もボルト３に近い位置に存することになるので、このボルト３が接近している側のボルト挿通部６部位はもちろん、ボルト３から離れた側のボルト挿通部６部位の端部にも、ナット４あるいは座金５が確実に当接する状態を実現できることになり、十分な締付当接強度を発揮できることになる。
【００２７】
よって、本発明によれば、ボルト挿通部６に対するボルト３の挿通位置にかかわらず、極めて良好な緊結強度を発揮できることになる。
【００２８】
また、この本発明の構成は、単に、背板部２の前側板面に突設したボルト挿通部６の突出前側部の形状を、前端部が平断面略Ｖ字形に先細る形状に形成することで構成可能であるため、簡易に設計実現可能で量産性に秀れる上、従来構造に比して径大なナット４あるいは座金５を用いることなく施工可能となる構成のため、ボルト３の良好な調整移動範囲を確保可能である。
【００２９】
また、例えば、横材10（胴差10Ａや梁など）を挟んだ上下の縦材１（柱１Ａ）を緊結する場合を説明する。
【００３０】
この場合は、本発明の引き寄せ金具を二体と、両端部に螺子部を有する引き寄せボルト３Ｂを使用する。
【００３１】
例えば、横材10に上下貫通状態に形成した貫通孔14に、引き寄せボルト３Ｂを挿通し、この貫通孔14に挿通した引き寄せボルト３Ｂの下端部を横材10の下方に存する縦材１の側面に固定した本引き寄せ金具のボルト挿通部６の挿通孔６Ａに挿通し、引き寄せボルト３Ｂの上端部を横材10の上方に存する縦材１の側面に固定した本引き寄せ金具のボルト挿通部６の挿通孔６Ａに挿通して、この引き寄せボルト３Ｂの下端部と上端部の夫々にナット４を螺着あるいは座金５と共にナット４を螺着し、この上下いずれか一方若しくは双方のナット４を締付することで上下のナット４あるいは上下の座金５を夫々ボルト挿通部６の端部に締付当接して上下の縦材１を引寄せ、横材10を挟んで縦材１同士を強固に緊結する。
【００３２】
この際、例えば、横材10に形成した貫通孔14の加工精度に誤差があったり、上下の縦材１の軸心がずれて配されていたりしても、上下の各ボルト挿通部６内で引き寄せボルト３Ｂの位置を移動させることでこの誤差を吸収することができるし、他の建築材等を避けるように引き寄せボルト３Ｂに対し本引き寄せ金具の位置をずらして本引き寄せ金具を縦材１に固定することもできる。
【００３３】
また、この種引き寄せ金具を用いた緊結構造にあっては、地震などにより発生する外力Ｌによって柱１Ａなどの縦材１が斜め上方に引き上げられると、例えば、基礎８から立ち上がるアンカーボルト３Ａ（ボルト３）に固定された金具には、縦材１に対して引き下げられるような力が加わり、この際、図６（ａ'），（ｂ'），（ｃ'）に示すように、金具の下端部が縦材１に喰い込むように変形してしまうことが実験により確認されている。
【００３４】
そして、この外力Ｌが大きくなるにつれ、喰い込んだ金具（背板部２）の下端部は縦材１に固定されて下方へ移動不能な状態となり、そのためアンカーボルト３Ａの締付固定部を支点として背板部２の固定部分（止着具11止部分）の下部がくの字状に変形していき、この変形を生じることにより金具に亀裂が入って強度が弱くなってしまう場合がある。
【００３５】
この点、例えば、前記背板部２の下端部を、この背板部２の前側方向に屈曲形成すると共に、この屈曲部位の後側板面が湾曲面形状となるように屈曲形成する構成とすれば、背板部２が前記外力Ｌの作用によって縦材１に対して引き下げられた際に、図６（ａ），（ｂ），（ｃ）に示すように背板部２下端部の湾曲面状の後側板面がたとえ縦材１にめり込んだとしても、この背板部２下端部が湾曲板面となっていることによって多少下方へ滑るように移動することが可能となるため、この背板部２下端部が縦材１に喰い込んで固定されてしまうことはなく、この食い込み固定が原因で生じる金具の変形が抑制されて一層秀れた耐久強度を発揮することになる。
【実施例】
【００３６】
本発明の具体的な実施例について図面に基づいて説明する。
【００３７】
本実施例は、図１，図２に示すように、建築物の柱１Ａなどの縦材１に添設固定する背板部２の前側板面に、アンカーボルト３Ａや引き寄せボルト３Ｂなどのボルト３の先端部を挿通し得且つこのボルト３先端部に螺着したナット４あるいはナット４と共にボルト３に被嵌装着した座金５を締付当接し得る、前記背板部２とによって筒形となる上下に長さを有するボルト挿通部６を突設した構成としている。
【００３８】
具体的には、背板部２は、図１に示すように、帯板状に構成し、長さ方向を上下方向として左右側縁部を夫々同方向に直角に屈曲形成している。
【００３９】
この背板部２左右の屈曲側板部２Ａが屈曲突出する方向を背板部２の前側とし、後側の板面を柱１Ａなどの縦材１に添設固定する構成としている。
【００４０】
また、この背板部２の中程より上側には、縦材１に打ち込み固定するための係止ピンや木ネジや釘などの止着具11を貫通する止着孔12を複数形成し、この背板部２の前側板面の中程より下側部に前記ボルト挿通部６を設けている。
【００４１】
本実施例のボルト挿通部６は、前記ボルト３の径よりも径大に形成してこのボルト挿通部６内でボルト３の挿通位置を調整可能に構成している。
【００４２】
また、前記背板部２の前側板面に突設したこのボルト挿通部６の突出前側部の形状を、平断面略Ｖ字形に先細る形状に形成している。
【００４３】
具体的には、前記背板部２の前側板面に、上下方向に長さを有する平断面半筒形であって開放部の反対側部が平断面略Ｖ字形に屈曲形成された係合体７を付設して、この係合体７の内面と背板部２の前側板面とで筒形の前記ボルト挿通部６を構成している。
【００４４】
また、係合体７について更に説明すると、図３に示すように、平断面略Ｖ字形の前側部はその前端部が背板部２の前側板面と平行な平坦面状に形成され、この略Ｖ字形前側部から開放部までは左右部が略平行に連設する平断面形状に形成している。
【００４５】
また、背板部２の前側板面と係合体７との付設構造は、背板部２の左右の屈曲側板部２Ａ間に前記係合体７の開放部側を嵌合し、この左右の屈曲側板部２Ａと係合体７の開放部側の左右部とを重合して溶接した構成としている。
【００４６】
更に詳しくは、図４（ａ）の斜線部分並びに図６（ａ），（ｂ），（ｃ）の暗トーン部分を溶接部分13としている。即ち、前記係合体７の開放部側左右部（遊離両端部）の上側部を夫々上方へ一体的に延長突設して、この夫々の延設部７Ａを背板部２の左右の屈曲側板部２Ａに溶接すると共に、係合体７の開放部側の左右側面部と屈曲側板部２Ａの前縁部（図６の右側縁部）とを溶接している。
【００４７】
このような背板部２と係合体７との付設構造によれば、背板部２は、左右に屈曲側板部２Ａを備えることで係合体７を配設し易く、溶接作業を行い易い。また、溶接範囲を長く確保できるので、接合強度が高く、頑丈で破断を生じにくい。更に、屈曲側板部２Ａを有することで、背板部２Ａが高い屈曲変形強度を有する上、前記係合体７に上方へ突設する延設部７Ａを設けて、この延設部７Ａを屈曲側板部２Ａに溶接する構成としたため、高い変形抑制効果が得られる（延設部７Ａが上方へ高く突設する形状とする程、高い変形抑制効果が得られることが強度実験により確認されている。）。
【００４８】
尚、本実施例では、延設部７Ａの前側への突出度を小さく設定（具体的には、同高さ位置の屈曲側板部２Ａの前方への突出度に対して１／２以下の突出度に設定）し、これにより、ボルト３が背板部２側へ移動する際に延設部７Ａが座金５の移動の邪魔にならないようにして座金５の良好な移動範囲を確保している。
【００４９】
また、本実施例では、ボルト挿通部６（挿通孔６Ａ）の前後幅並びに左右幅を従来の引き寄せ金具の前後・左右幅に準じた寸法に設定する。
【００５０】
このように構成した本実施例のボルト挿通部６は、その挿通孔６Ａ内に挿通したボルト３を図１，図３中に想像線で示したように上下左右斜めいずれの方向にも位置をずらすことができる。
【００５１】
また、このボルト挿通部６に挿通したボルト３を締付連結する際には、図３，図４（ａ）に示すようにこの挿通孔６Ａ内でどのような位置にボルト３が位置しても、このボルト挿通部６の端部に良好に当接し得る径寸法の座金５を採用して行う。尚、本実施例のボルト挿通部６（挿通孔６Ａ）は、従来の引き寄せ金具よりも前後・左右幅を広くせずに従来品と同等の寸法を有するように設定しているため、従来の引き寄せ金具に用いる座金と同等の径を有する座金５を採用することができる。従って、従来の引き寄せ金具に用いるものより大きい径の座金５を採用してボルト挿通部６に対するボルト３の移動範囲を阻害するようなことなく、従来品と略同等のボルト３移動範囲を確保できる構成としている。
【００５２】
また、本実施例では、前記背板部２の下端部を、この背板部２の前側方向に屈曲形成すると共に、この屈曲部位の後側板面が湾曲面形状となるように屈曲形成している。
【００５３】
具体的には、図５に示すように背板部２の下端部を略水平前方へＬ字形状に屈曲形成し、この屈曲部位の後側板面が柱１Ａなどの縦材１に喰い込むことのない滑らかな湾曲面形状となるように屈曲している。
【００５４】
この背板部２の屈曲下端部２Ｂは、建築物に地震などによる外力Ｌが作用した際に、この背板部２下端部が縦材１へ喰い込むことを防止するためのものである。
【００５５】
更に詳しくは、この屈曲下端部２Ｂがない構成であると、本引き寄せ金具施工後に、地震などの外力Ｌによって柱１Ａが斜め上方に引き上げられた際に、基礎８から立ち上がるアンカーボルト３Ａ（引き寄せボルト３Ｂ）に固定された本金具には、柱１Ａに対して引き下げられるような力が加わり、この際、背板部２の下端部が柱１Ａに喰い込むように変形してしまうことが出願人の実験により確認されている（図６（ａ'），（ｂ'），（ｃ'）参照。）。
【００５６】
そして、前記外力Ｌが大きくなるにつれ、喰い込んだ背板部２の下端部は柱１Ａに固定されてしまって下方へ移動不能な状態となり、そのためアンカーボルト３Ａの締付固定部を支点として背板部２の止着具11止部分（前記止着孔12の存する部位）の下側部、即ち背板部２の中程が前方へ突出するように屈曲して背板部２がくの字状に変形していき、この変形を生じることにより背板部２に亀裂が入ったりして強度が弱くなってしまう場合がある。
【００５７】
しかし、本実施例によれば、図６（ａ），（ｂ），（ｃ）に示すように、背板部２が外力Ｌの作用によって柱１Ａに対し引き下げられて背板部２に多少の変形を生じ、これによりたとえ背板部２下端部の後側板面が柱１Ａにめり込んだとしても、前側に屈曲させた背板部２の下部（滑らかな湾曲面形状の後側板面）は柱１Ａに対して多少下方へ滑り移動することができるため、この背板部２下端部が柱１Ａに喰い込んで固定されることはなく、よってこれ以上の変形が抑制されて強度を維持できることになる構成としている。
【００５８】
また、本実施例では、背板部２の前側板部であって、この背板部２の中程から下端部に至る個所に、この背板部２の後側板面を前側に凹設することで前側板面を前側に凸設させた上下方向に長さを有する補強リブ２Ｃを一体的に形成して、この背板部２の中程から下端部に至る個所の強度を向上させると共に、この背板部２の中程から下端部に至る個所の前記左右の屈曲側板部２Ａを中程より上側の屈曲側板部２Ａより前後幅が幅広となる形状に形成して、この背板部２の中程から下端部に至る個所の強度を向上させ、上記したように本引き寄せ金具施工後、地震などの外力Ｌが加わった際に特に変形し易いこの背板部２の中程から下端部に至る個所に高い変形防止作用を付与する構成としている。
【００５９】
次に、本実施例の使用方法を説明する。
【００６０】
図７に基づいて、土台９を挟んで基礎８と柱１Ａ（縦材１）とを緊結する場合（本引き寄せ金具をホールダウン金物として使用する場合）を説明する。
【００６１】
基礎８に埋設固定して立設させたボルト３（アンカーボルト３Ａ）を、土台９に上下貫通形成した貫通孔９Ａに挿通させ、この貫通孔９Ａから土台９上面に突設するアンカーボルト３Ａの先端を、柱１Ａの側面に固定した（止着具11で背板部２を固定した）本引き寄せ金具のボルト挿通部６の挿通孔６Ａに挿通する。
【００６２】
次いで、このボルト挿通部６に挿通したアンカーボルト３Ａの先端に座金５を被嵌装着すると共にナット４を螺着し、このナット４を締付螺動することでボルト挿通部６の端部に座金５を締付当接させて基礎８に柱１Ａを引寄せ、土台９を挟んで基礎８と柱１Ａを強固に緊結する。
【００６３】
この際、アンカーボルト３Ａの径よりも径大に形成したボルト挿通部６（挿通孔６Ａ）内では、アンカーボルト３Ａの挿通位置を位置調整することができるので、基礎８に対するアンカーボルト３Ａの位置出しが正確でなく僅かに狂っていたり、縦材１に対する本引き寄せ金具の固定位置が僅かに狂っていたとしても、このボルト挿通部６内でのアンカーボルト３Ａの挿通位置調整によりアンカーボルト３Ａとボルト挿通部６の位置の誤差を吸収して対応できる。
【００６４】
また、この際、本実施例にあっては、ボルト挿通部６の挿通孔６Ａの中心に対してボルト３の軸心が大きく片寄った状態となっても、略Ｖ字形に先細るボルト挿通部６の挿通孔６Ａ形状によってボルト３から離れている側のボルト挿通部６の端部が特許文献１のような構造よりボルト３に近い位置に存するように規制されることになるので、このボルト３から離れた側のボルト挿通部６の端部にも、良好な当接状態を実現できることになる（図４参照。）。
【００６５】
よって、本実施例によれば、ボルト挿通部６に対するボルト３の挿通位置にかかわらず、極めて良好な締付当接強度を発揮して極めて強固な緊結強度を発揮できることになる。
【００６６】
また、図８に基づいて、胴差10Ａ（横材10）を挟んだ上下の柱１Ａ（縦材１）を緊結する場合を説明する。この場合、本実施例の引き寄せ金具を二体と、両端部に螺子部を有する引き寄せボルト３Ｂを使用する。
【００６７】
胴差10Ａに上下貫通状態にして引き寄せボルト３Ｂ挿通用の貫通孔14を形成し、例えば、この貫通孔14に挿通した引き寄せボルト３Ｂの下端部を、胴差10Ａの下方に存する柱１Ａの側面に固定した本引き寄せ金具のボルト挿通部６の挿通孔６Ａに挿通し、引き寄せボルト３Ｂの上端部を、胴差10Ａの上方に存する柱１Ａの側面に固定した本引き寄せ金具のボルト挿通部６の挿通孔６Ａに挿通して、この引き寄せボルト３Ｂの下端部と上端部の夫々にナット４を座金５を介して螺着し、この上下いずれか一方若しくは双方のナット４を締付して、上下の座金５を夫々ボルト挿通部６の端部に締付当接させて上下の柱１Ａを引寄せ、胴差10Ａを挟んでこの柱１Ａ同士を強固に緊結する。また、胴差10Ａの下方に存する柱１Ａに対しては、本引き寄せ金具を上下逆向きにして使用した場合を示している。
【００６８】
この際、胴差10Ａに形成した貫通孔14の加工精度に誤差があっても、また、上下の縦材１の軸心がずれて配されていたりしても、上下の各ボルト挿通部６内で引き寄せボルト３Ｂの位置を移動させることでこの誤差を吸収することができるし、他の建築材等を避けるように引き寄せボルト３Ｂに対し本引き寄せ金具の位置をずらして本引き寄せ金具を縦材１に固定することもできる。
【００６９】
尚、本発明は、本実施例に限られるものではなく、各構成要件の具体的構成は適宜設計し得るものである。
【００７０】
本実施例では、座金５をボルト挿通部６に締付当接させた場合を示したが、座金５を省いて直接ナット４をボルト挿通部６に締付当接させる構成としても良い。
【図面の簡単な説明】
【００７１】
【図１】本実施例を示す斜視図である。
【図２】本実施例の使用状態を示す説明斜視図である。
【図３】本実施例を示す平面図である。
【図４】ボルトの軸心がボルト挿通部（挿通孔）の中心に対して横方向に片寄った状態における、ボルト挿通部と座金との関係を示した本実施例と従来例の比較説明平面図である。
【図５】本実施例を示す側面図である。
【図６】本実施例施工後、縦材に外力が作用した際の金具変形の様子を示した比較説明図である。
【図７】本実施例の、土台を挟んで基礎と柱とを緊結する場合の使用状態を示す説明図である。
【図８】本実施例の、胴差を挟んだ上下の柱を緊結する場合の使用状態を示す説明図である。
【符号の説明】
【００７２】
１  縦材
１Ａ  柱
２  背板部
２Ａ  屈曲側板部
３  ボルト
３Ａ  アンカーボルト
３Ｂ  引き寄せボルト
４  ナット
５  座金
６  ボルト挿通部
６Ａ  挿通孔
７  係合体
【図１】
0004555798.tif 000002
【図２】
0004555798.tif 000003
【図３】
0004555798.tif 000004
【図４】
0004555798.tif 000005
【図５】
0004555798.tif 000006
【図６】
0004555798.tif 000007
【図７】
0004555798.tif 000008
【図８】
0004555798.tif 000009